(57)【要約】      （修正有）【課題】構造を簡易化し、その利便性を増加し、同時に充放電効率を向上する充電電池の全接触式タブ構造を提供する。【解決手段】充電電池の全接触式タブ構造は、少なくとも、１つの正電極活性材料層と、１つの負電極活性材料層と、２つの隔離膜層を含み、間隔を置いて配列し、捲き付けて形成し、そのうち、正、負電極活性材料層の表面は、リチウム酸化物を主とする活性物質を塗布し、且つ一定距離を隔てて正、負電極活性材料層の表面は、細長状の非塗布領域を有し、該非塗布領域を覆う正、負電極タブを設け、正、負電極タブは、隔離膜層の側面端縁に突出する。【選択図】図３
0003162607.tif 000002
【実用新案登録請求の範囲】
【請求項１】
少なくとも、１つの正電極活性材料層と、１つの負電極活性材料層と、２つの隔離膜層を、間隔を置いて配列し、捲き付けて形成し、
そのうち、正電極活性材料層の表面は、リチウム酸化物を主とする活性物質を塗布し、
且つ、正電極活性材料層の表面は一定距離を隔てて細長状の非塗布領域を有し、該非塗布領域を覆う正電極タブを設け、正電極タブは、隔離膜層の一側端縁に突出し、
該負電極活性材料層の表面は、活性物質を塗布し、
且つ負電極活性材料層の表面は一定距離を隔てて細長状の非塗布領域を有し、該非塗布領域を覆う負電極タブを設け、
負電極タブは、隔離膜層に突出して設けられ、且つ該正電極タブと異なる他側端縁に設けられる充電電池の全接触式タブ構造。
【請求項２】
前記正電極タブが該正電極活性材料層の非塗布領域を覆うように設置され、
前記負電極タブが該負電極活性材料層の非塗布領域を覆うように設置され、
該正電極タブ及び負電極タブの設置が溶接、熱溶解又は接着剤接合の何れか１種の結合方式である請求項１に記載の充電電池の全接触式タブ構造。
【請求項３】
前記正電極タブ及び負電極タブは、導電膜層、金属棒の何れか１種の導電体である請求項１又は２に記載の充電電池の全接触式タブ構造。
【請求項４】
前記正電極活性材料層、負電極活性材料層及び２つの隔離膜層は、間隔を置いて配列され、捲き付け形成され、円筒状の外殻中に安置でき、該金属外殻両端は、それぞれパッケージを被せ、該正電極タブのパッケージは、それと電気接続する正極電極端子を設け、該負電極タブの他のパッケージは、それと接続する負極電極端子を設ける請求項１に記載の充電電池の全接触式タブ構造。
【請求項５】
前記隔離膜層は、多孔性絶縁材料である請求項１に記載の充電電池の全接触式タブ構造。
【請求項６】
前記一定距離を置いて隣接する正、負電極活性材料層の表面は、細長状を備え、且つ該正、負電極活性材料層の活性物質を貫通しない非塗布領域である請求項１に記載の充電電池の全接触式タブ構造。
【請求項７】
前記一定距離を置いて隣接する正、負電極活性材料層の表面は、細長状を備え、且つ該正、負電極活性材料層の活性物質を貫通する非塗布領域である請求項１に記載の充電電池の全接触式タブ構造。
【請求項８】
前記隔離膜層は、該正、負電極活性材料層の辺縁よりやや大きいものである請求項１、４、５のいずれかに記載の充電電池の全接触式タブ構造。
【請求項９】
前記正電極活性材料層表面は、活性物質を塗布し、該発生物質は、リチウム酸化物を主とする活性物質を含む請求項１に記載の充電電池の全接触式タブ構造。
【請求項１０】
前記負電極活性材料層表面は、活性物質を塗布し、該発生物質は、リチウム酸化物を主とする活性物質を含む請求項１に記載の充電電池の全接触式タブ構造。
【考案の詳細な説明】
【技術分野】
【０００１】
本考案は、充電電池の全接触式タブ構造に関し、特に充電電池の技術分野に応用し、その構造を簡易化し、充放電効率を向上する全接触式タブ構造に関する。
【背景技術】
【０００２】
図６は、従来技術のリチウム電池内の極板構造の図である。該極板８１は、複数のタブ８２を設ける。該複数のタブ８２は、充電時、電流が通過するブリッジの役割をなす。図７は、該従来技術のリチウム電池内の極板が捲かれた後の構造図である。捲き付け手段により、捲き付けた後の極板８１は、比較的小さい体積内に収容することができる。複数のタブ８２は、多点式の電気接続を行なうことができ、比較的大容量の充電を行い、充電時間を短縮することができる。
【０００３】
しかしながら、この種の構造原理は、一本の川上に一定距離を隔て、ブリッジを有するので、川を越える橋を通過する車両が多い時、各橋の入口が渋滞及び通行困難を発生し易い。同様に、大量の電子が各タブ８２を通過する時、タブ８２の入力端の抵抗により熱エネルギーを発生することにより、充電時に温度が増加し、温度上昇効果が更に抵抗を増加させる悪循環を招く。従って、使用の安全性が良好でない。
【０００４】
また、大量の電荷が電圧を受け駆使し、且つタブを通過する時、該タブの電気抵抗が上昇し、充電の効率が必然的に低下し、相対して放電時迅速な放電を達成することもできない。
【０００５】
また、該タブ８２及び極板８１は、点状の溶接を採用し、加工が困難であるだけでなく、溶接の不良によりタブ８１の脱落又は断路を形成し、同様に、一定時間の使用において、該点状溶接したタブも脱落又は断路の問題が出現し、放電効率が低下する。
【０００６】
前記の問題及び欠陥に鑑みて、本考案の考案者は、長年の経験を積み重ね、想像力及び創造力を発揮し、絶え間ない試作及び修正の後、本考案の充電電池の全接触式タブ構造を完成し、上記問題及び欠陥を解決する。
【先行技術文献】
【特許文献】
【０００７】
【特許文献１】特開平１１−３２６４７３号公報
【考案の概要】
【考案が解決しようとする課題】
【０００８】
本考案の目的は、充電電池の全接触式タブ構造を提供し、充電電池に対して充電を行う時、充電温度上昇効果を効率的に低減し、充電時間を大幅に節減し、放電時に大機名電流で迅速な放電を行ない、その利便性及び効率を向上することにある。
【０００９】
本考案のもう１つの目的は、充電電池の全接触式タブ構造を提供し、その構造接合性能を向上し、その接触抵抗を効率的に低減するだけでなく、更にその耐久度を向上し、充電電池の充放電回数及び使用寿命を効率的向上することにある。
【課題を解決するための手段】
【００１０】
上記目的を達成する為、本考案が採用する技術手段は、充電電池の全接触式タブ構造が、少なくとも、１つの正電極活性材料層と、１つの負電極活性材料層と、２つの隔離膜層を含み、間隔を置いて配列し、捲き付けて形成し、そのうち、正電極活性材料層の表面は、これに制限するものではないが、リチウム酸化物を主とする活性物質を塗布し、且つ一定距離を隔てて正電極活性材料層の表面は、細長状の非塗布領域を有し、該非塗布領域を覆う正電極タブを設け、正電極タブは、隔離膜層の一側端縁に突出する。該負電極活性材料層の表面は、活性物質を塗布し、例えば、炭素を主とする活性物質であり、且つ一定距離を隔てた負電極活性材料層の表面は、細長状の非塗布領域を有し、該非塗布領域を覆う負電極タブを設け、負電極タブは、隔離膜層に突出して設けられ、且つ該正電極タブと異なる他側端縁に設けられる。
本考案は下記の特徴を有する。
（１）少なくとも、１つの正電極活性材料層と、１つの負電極活性材料層と、２つの隔離膜層を含み、間隔を置いて配列し、捲き付けて形成し、そのうち、正電極活性材料層の表面は、リチウム酸化物を主とする活性物質を塗布し、且つ一定距離を隔てて正電極活性材料層の表面は、細長状の非塗布領域を有し、該非塗布領域を覆う正電極タブを設け、正電極タブは、隔離膜層の一側端縁に突出し、該負電極活性材料層の表面は、活性物質を塗布し、且つ一定距離を隔てた負電極活性材料層の表面は、細長状の非塗布領域を有し、該非塗布領域を覆う負電極タブを設け、負電極タブは、隔離膜層に突出して設けられ、且つ該正電極タブと異なる他側端縁に設けられる充電電池の全接触式タブ構造。
（２）前記正電極タブが該正電極活性材料層の非塗布領域を覆うように設けられ、該負電極タブが該負電極活性材料層の非塗布領域を覆うように設けられ、該覆うような設置が溶接、熱溶解又は接着剤接合の何れか１種の結合方式である（１）に記載の充電電池の全接触式タブ構造。
（３）前記正電極タブ及び負電極タブは、導電膜層、金属棒の何れか１種の導電体である（１）又は（２）に記載の充電電池の全接触式タブ構造。
（４）前記正電極活性材料層、負電極活性材料層及び２つの隔離膜層は、間隔を置いて配列され、捲き付け形成され、円筒状の外殻中に安置でき、該金属外殻両端は、それぞれパッケージを被せ、該正電極タブのパッケージは、それと電気接続する正極電極端子を設け、該負電極タブの他のパッケージは、それと接続する負極電極端子を設ける（１）に記載の充電電池の全接触式タブ構造。
（５）前記隔離膜層は、多孔性絶縁材料である（１）に記載の充電電池の全接触式タブ構造。
（６）前記一定距離を置いて隣接する正、負電極活性材料層の表面は、細長状を備え、且つ該正、負電極活性材料層の活性物質を貫通しない非塗布領域である（１）に記載の充電電池の全接触式タブ構造。
（７）前記一定距離を置いて隣接する正、負電極活性材料層の表面は、細長状を備え、且つ該正、負電極活性材料層の活性物質を貫通する非塗布領域である（１）に記載の充電電池の全接触式タブ構造。
（８）前記隔離膜層は、該正、負電極活性材料層の辺縁よりやや大きいものである（１）、（４）（５）のいずれかに記載の充電電池の全接触式タブ構造。
（９）前記正電極活性材料層表面は、活性物質を塗布し、該発生物質は、リチウム酸化物を主とする活性物質を含む（１）に記載の充電電池の全接触式タブ構造。
（１０）前記負電極活性材料層表面は、活性物質を塗布し、該発生物質は、リチウム酸化物を主とする活性物質を含む（１）に記載の充電電池の全接触式タブ構造。
【考案の効果】
【００１１】
上記技術試案を介して、本考案は、該全接触式タブ構造により充放電の効率を向上し、その時間を節減し、同時に良好な歩留まりを有し、使用寿命の性能を増進し、産業上相当良好な利用性を提供することができる。
【図面の簡単な説明】
【００１２】
【図１】本考案の全接触式タブ構造を外殻に取り付けた組み合わせ説明図である。
【図２】本考案の全接触式タブ構造の部材組み合わせ説明図である。
【図３】本考案の全接触式タブ構造の立体分解説明図である。
【図４】本考案の組み合わせ断面図である。
【図５】本考案の他の角度の組み合わせ断面図である。
【図６】従来技術のリチウム電池内の極板構造の図である。
【図７】従来技術のリチウム電池内の極板を捲いた構造の図である。
【考案を実施するための形態】
【００１３】
図１〜図３に示すように、本考案の充電電池の全接触式タブ構造は、少なくとも、１つの正電極活性材料層１０と、１つの負電極活性材料層２０と、２つの隔離膜層３０，４０を含み、該隔離膜層３０，４０は、多孔性絶縁材料であり、間隔を置いて配列され、捲き付けて形成され、そのうち、正電極活性材料層１０の表面は、これに制限するものではないが、リチウム酸化物を主とする活性物質１２を塗布し、且つ一定距離を隔てて正電極活性材料層１０の表面は、細長状の非塗布領域１３を有し、該非塗布領域１３を覆い、溶接、熱溶解又は接着剤接合の任意の結合方式により、正電極タブ１４を設け、正電極タブ１４は、隔離膜層３０の一側端縁３１に突出する（図４、図５参照）。該負電極活性材料層２０の表面は、活性物質を塗布し、例えば、炭素を主とする活性物質２２であり、且つ一定距離を隔てた負電極活性材料層２０の表面は、細長状の非塗布領域２３を有し、該非塗布領域２３を覆う負電極タブ２４を設け、負電極タブ２４は、隔離膜層４０に突出して設けられ、且つ該正電極タブ１４と異なる他側端縁４１に設けられ、同様に該負電極タブ２４及び非塗布領域２３の結合は、溶接、熱溶解又は接着剤接合のいずれかの方式を採用し、その結合を完成することができる。
【００１４】
また、本考案の正電極タブ１４及び負電極タブ２４は、導電膜層、金属棒の何れか１種の導電体であり、押し抜き又は切断成型が好ましい。
【００１５】
図１に示すように、本考案の正電極活性材料層１０と、負電極活性材料層２０と、２つの隔離膜層３０，４０は、間隔を置いて配列され、捲き付け形成され、円筒状の外殻５０中に安置することができ、該外殻５０両端は、それぞれパッケージ５１，５２を被せ、該正電極タブ１４のパッケージ５１を対応し、それと電気接続する正極電極端子６１を設け、該負電極タブ２４の他のパッケージ５２に対応し、それと接続する負極電極端子６２を設ける。
【００１６】
更に、前記実施例中、該正、負電極活性材料層１０，２０表面の非塗布領域１３，２３は、細長状であり、且つ該発生物質１２，２２を貫通しないが、実務上、これに限定するものではなく、該非塗布領域１３，２３は、細長状且つ該活性物質１２，２２を貫通する型式を採用することもでき、同様に本考案の目的の性能を達成することができる。
【００１７】
対応して、本考案は、隔離膜層３０，４０は、該正、負電極活性材料層１０，２０の辺縁よりやや大きく、短絡の可能性を低減することができる。
【符号の説明】
【００１８】
１０  正電極活性材料層
１２  活性物質
１３  非塗布領域
１４  正電極タブ
２０  負電極活性材料層
２２  活性物質
２３  非塗布領域
２４  負電極タブ
３０，４０  隔離膜層
３１，４１  端縁
５０  外殻
５１，５２  パッケージ
６１  正極電極端子
６２  負極電極端子
【図１】
0003162607.tif 000003
【図２】
0003162607.tif 000004
【図３】
0003162607.tif 000005
【図４】
0003162607.tif 000006
【図５】
0003162607.tif 000007
【図６】
0003162607.tif 000008
【図７】
0003162607.tif 000009